(57)【要約】      （修正有）【課題】慢性完全閉塞（ＣＴＯｓ）、特に治療が困難な慢性完全閉塞を治療する方法および装置を提供する。【解決手段】ＣＴＯ再疎通は、ガイドワイヤ１００ａおよびガイドワイヤ１００ｂを電極または導線となるように構成し、順行性ガイドワイヤ１００ａを閉塞の近位端を通して進め、逆行性ガイドワイヤ１００ｂを閉塞の遠位端を通して進め、ＲＦ発生器１０からの出力を用いて両ガイドワイヤ間の閉塞に対する高周波焼灼によって行う。【選択図】図１
2014208263.tif 000002
【特許請求の範囲】
【請求項１】
遠位端と、近位端と、ガイドワイヤルーメンを備えるガイドワイヤシャフトと、を有する縦材であって、その長さ方向の少なくとも一部に沿って、細径血管を通して縦材を進めることができるように構成された縦材と、
前記縦材の遠位端上の電極であって、閉塞血管内でアブレーションを行うように構成された電極と、
高周波エネルギを前記電極から外部高周波エネルギ源へ送る一つまたは二つ以上の導線あって、絶縁被覆により覆われた導線と、
を備えるカテーテル。
【請求項２】
前記縦材が、らせん状外部を有するように構成された請求項１に記載のカテーテル。
【請求項３】
前記縦材が、複数のワイヤを備える請求項１に記載のカテーテル。
【請求項４】
前記複数のワイヤが、少なくとも二つの異なる径を有する請求項３に記載のカテーテル。
【請求項５】
前記複数のワイヤが、電極または導線となるように構成された請求項３に記載のカテーテル。
【請求項６】
前記縦材が、その長さ方向の少なくとも一部に沿って、前記遠位端と前記近位端との間で、テーパー形状を有する請求項３に記載のカテーテル。
【請求項７】
前記絶縁被覆が、前記縦材の全長に沿って延在している請求項３に記載のカテーテル。
【請求項８】
遠位端と、近位端と、ガイドワイヤを備えるガイドワイヤシャフトと、を有する縦材であって、その長さ方向の少なくとも一部に沿って、細径血管を通して縦材を進めることができるように構成された縦材と、
前記縦材の遠位端上に配置されたトランスデューサーであって、超音波画像診断を行うように構成されたトランスデューサーと、
前記トランスデューサーから外部超音波源へ信号を送る一つまたは二つ以上の導線と、
を備えるカテーテル。
【請求項９】
前記縦材が、らせん状外部を有するように構成された請求項８に記載のカテーテル。
【請求項１０】
前記縦材が、複数のワイヤを備える請求項８に記載のカテーテル。
【請求項１１】
前記複数のワイヤが、少なくとも二つの異なる径を有する請求項１０に記載のカテーテル。
【請求項１２】
前記複数のワイヤが、電極または導線となるように構成された請求項１０に記載のカテーテル。
【請求項１３】
絶縁被覆が、前記縦材の長さ全体に沿って延在している請求項１２に記載のカテーテル。
【請求項１４】
前記縦材が、その長さ方向の少なくとも一部に沿って、前記遠位端と前記近位端との間で、テーパー形状を有する請求項８に記載のカテーテル。
【発明の詳細な説明】
【技術分野】
【０００１】
本発明は概して閉塞内腔の治療に関し、より詳しくは高周波エネルギを用いて人体における重度または慢性完全閉塞血管を貫通する装置および方法に関する。
【背景技術】
【０００２】
慢性完全閉塞（ＣＴＯ）は、血管の完全閉塞であり、また通常は時期を逃さず治療されなければ深刻な結果をもたらす。閉塞は、粥状プラークまたは古い血栓が原因となることがある。冠状動脈のＣＴＯｓを治療する一般的な処置の一つは、経皮経管冠動脈形成（ＰＴＣＡ）である。ＰＴＣＡ術中に、小さな切開が通常、鼠径部になされる。ガイドワイヤを通じてカテーテルを誘導することは、大腿動脈内に導入されるとともに、閉塞へ進められる。しばしばゆっくりとした操作でガイドワイヤは閉塞を貫通することができる。次にバルーンが先端に付いた血管形成カテーテルがガイドワイヤを越えて閉塞へ進められる。バルーンが膨らまされ、アテローマを分離または粉砕している。ＰＴＣＡ術に含まれる一般的なステップのいくつかは、対向外側血管における造影剤の同時圧入、バックアップ力を得ることまたはガイドワイヤの安定化（それはカテーテルを操作する追加要員を請うことがある）、プラークを貫通すること、穴を開けること又はガイドワイヤを回転して押し密集プラークを貫くことなどである。密集プラークにより受けるしばしば強い抵抗のため、人は堅いワイヤを使用することを強いられることがある。場合によっては、ワイヤは、治療手段を必要としている血管壁を刺すことがある。
【０００３】
ＣＴＯｓに対する最も一般的な経皮冠動脈インターベーション（ＰＣＩ）の失敗のモデルは、病変を貫通して遠位部血管の真腔内にガイドワイヤをうまく通すことができないことである。今まで、一般的なガイドワイヤの試みが失敗した後の、ＣＴＯの最善な治療に関しては意見の一致がない。ＣＴＯｓに対する異なる対策および特定の装置が開発されており、内膜下の追跡および側枝手法を用いたリエントリー、並列ワイヤ手法、ＩＶＵＳガイド手法、逆行性アプローチなどを含んでいる。
【０００４】
機械的切断または振動、および、レーザ又は超音波又は高周波（ＲＦ）エネルギ焼灼のような、機械的およびエネルギ系手法はまた、硬質石灰化閉塞を通してガイドワイヤを通すことに対して提案されている。これらの装置の大部分は、ガイドワイヤまたはカテーテル装置の先端にエネルギを局所的に適用することによって機能し、閉塞に焼灼を生じさせる。それは慎重に行われて、閉塞を貫いてチャネルを形成している。チャネルが形成された時点で、ガイドワイヤがバルーンカテーテルを適所にガイドするのに使用される。
【０００５】
ＲＦエネルギは、組織を、凝固、切断又は焼灼するのに広く用いられている。単極および双極の両方の形態において、導電性電極は、治療すべき組織に接触する。単極方式において、アクティブ電極は、治療すべき組織に接触して配置されており、また大きな表面積を有するリターン電極は、アクティブ電極から距離を置いて患者に位置している。双極方式において、前記アクティブおよびリターン電極は、互いに極めて接近しており、治療すべき組織を囲んでいる。しばしば、電極アレイは、ＲＦ場の浸透深さのより良い制御、したがって組織が加熱される温度に関する制御を提供するために用いられている。各方式に関しては多くの欠点がある。例えば単極配置において、電極間の大きな物理的分離のために、電極部位での局所的な焼き付け（burning）に関する多くの報告がある。これは、電極の一つが血管壁の内部にある場合、明らかに望ましくない。別の深刻な問題は、血栓を生じる可能性があることである。電極と接触している組織は、凝固または焼灼されることがある。血管壁内に電極が存在する場合、危険な血栓を生じる可能性は極めて高い。
【０００６】
上記問題を解決しようとする試みにおいて、種々の装置および電極構成が下記の特許に記載されている。特許文献１および特許文献２は、カテーテルのＲＦ電極を用いて病変を貫通することを開示している。これらの特許は、閉塞と接触しているカテーテルの遠位端のところにある双極電極アッセンブリを開示している。また特許権者は、ＲＦエネルギの適用が、閉塞を小さくするとともに、ガイドワイヤが閉塞を貫通しやすい状態にすることをクレームしている。この方法は、注意深く閉塞を追跡すること及び焼灼処理が、血管壁または正常組織への外傷を回避するために必要であるという欠点を有する。それは、閉塞の代わりに正常細胞を通して電流が短絡する可能性が高いからである。特許文献２は、複合電極アレイを用いることにより、この欠点をある程度は解決する。しかしながら、この装置は、閉塞を通してチャネルが予め形成されることを必要とする。したがって、前記装置は、このチャネルを横断するガイドワイヤを通すことができる。それは必ずしも簡単ではない。
【０００７】
ヒルズマンなどの特許文献３は、血管系内の閉塞の焼灼を可能にするレーザカテーテル装置を開示している。このシステムは、上記のものと同様の欠点、ガイドシステムの必要性、正常細胞に対する焼灼の可能性、装置の複雑さ（したがってコスト）などを有する。
【０００８】
既存装置が有する主要問題の一つは、エネルギ配給部材の角度および位置を追跡する機構がない場合、焼灼エネルギが血管系壁にダメージを与えてしまう可能性である。従来技術において、エネルギ配給部材を追跡および操作する問題に取り組むいくつかの装置が存在する。ホールなどの特許文献４は、磁気操作および誘導システムを開示しており、リターン電極が人体と接触して外部に配置されている単極構造において又はリターン電極が中央ワイヤ電極を取り囲んでいる双極構造において、先端に、ＲＦエネルギを運ぶ焼灼装置を向けている。
【０００９】
ラフォンテームなどの特許文献５は、機械的切断装置を開示している。ここで、前記誘導は、組織のインピーダンスを接触状態で測定することにより提供されている。前記誘導システムは、狭窄組織と血管壁との間のインピーダンスの違いを検知するとともに、切断要素を閉塞へ向かわせる。
【００１０】
しかしながら、これらの代替策は、最も困難なＣＴＯｓに対して満足のゆく結果をもたらさない。硬質石灰化閉塞の場合、血管再開通術は、面倒であり、また時間がかかることがある。したがって、閉塞物質を焼灼または破壊する方法の改善の必要性があり、それは安全、効果的な、および迅速なものである。現在の技術の欠点がなくＣＴＯを再疎通させるであろう、代替技術および装置を有することは有益である。
【００１１】
再疎通させるのが困難なＣＴＯｓは、病変血管の蛇行構造が原因か、狭窄の近位端がガイドワイヤにとって貫通するのが難しいことが原因か、またはＣＴＯの別の特徴であり、それは標準的な方法を失敗しやすいものとし、ＣＴＯｓを再疎通させる新しいアプローチが有効となるであろう。近年、併用された順行性−逆行性アプローチが慢性閉鎖に対して提案されている（特許文献６）。前記同時継続中の出願に開示された方法は、ＣＴＯｓを貫通するエネルギの使用が有効であろう。
【先行技術文献】
【特許文献】
【００１２】
【特許文献１】米国特許第５，３６６，４４３号
【特許文献２】米国特許第５，４１９，７６７号
【特許文献３】米国特許第５，５１４，１２８号
【特許文献４】米国特許第６，９１１，０２６号
【特許文献５】米国特許第６，４１６，５２３号
【特許文献６】米国特許出願第１１／７０６，０４１号
【発明の概要】
【発明が解決しようとする課題】
【００１３】
種々の方法および装置が、慢性完全閉塞の治療において、一般に直面する問題の一部を解決するために提供されている。この発明の一態様は、前記閉塞に順行性および逆行性方式でガイドワイヤを組合せて進めることにより、及び、閉塞の近位および遠位端間にＲＦエネルギを適用することにより、閉塞した血管をうまく再疎通する方法および装置を提供することにある。前記閉塞を貫通して前記ＲＦエネルギを適用することは、双極配置を用いることにより実現されている。ここで、一方の電極は、順行性ガイドワイヤに位置されており、また前記双極配置を構成する他方の電極は逆行性ガイドワイヤに位置されている。
【課題を解決するための手段】
【００１４】
一態様において、本発明は、順行性方式で第一縦材を閉塞の近位端を通して進める工程と、逆行性方式で第二縦材を前記閉塞の遠位端を通して進める工程と、前記順行性および逆行性ガイドワイヤの遠位端間にエネルギを適用する工程と、前記閉塞を局所的に焼灼する工程と、ガイドワイヤが進むことのできるチャネルを形成する工程と、を備えた閉塞血管再疎通方法を開示している。別の実施形態において、前記順行性ガイドワイヤは、その遠位端に展開可能な捕捉機構を有することができるとともに、展開時は順行性ガイドワイヤを回収することができる。
【００１５】
別の態様において、この発明は、ＲＦ電極を含む遠位端を有する順行性縦材と、第二ＲＦ電極を含む遠位端を有する逆行性縦材と、を備えた閉塞血管再疎通カテーテルアッセンブリ、及びＲＦ発生器に接続された前記カテーテルアッセンブリの近位端に関する。さらに、温度測定要素は、順行性および逆行性縦材の遠位端に設けることができる。前記ＲＦ発生器は、予め定められた時間の間またはセット条件が満たされるまで、組織を治療するようにプログラムすることができる。この条件の一つは、閉塞が、予め定められた温度に達するまでとすることができる。別の条件は、前記閉塞のインピーダンスとすることができる。
【００１６】
別の態様において、本発明は、一以上の以下のもの、すなわち、順行性ガイドワイヤ、逆行性ガイドワイヤ、拡張装置、捕捉装置、および注入カテーテルを備えた閉塞血管再疎通キットである。ここで、少なくとも一つのこれらの装置は、少なくとも一つの電極を含む。さらに、この装置の近位端は、ＲＦ発生器と結合するように構成されている。
【００１７】
本発明の別の態様は、前記装置及びシステムに対応する方法を含む。
【００１８】
本発明は別の効果および特徴を有し、それは添付図面を併用すると、以下の本発明の詳細な説明及び添付クレームから容易に明らかになるであろう。
【図面の簡単な説明】
【００１９】
【図１】図１は縦材に接続されたＲＦ発生器の概略図である。
【図２】図２は縦材の特徴を示す。
【図３Ａ】図３Ａは、双極ＲＦ並びに併用順行性及び逆行性アプローチを用いたＣＴＯ再疎通に含まれる工程を示す。
【図３Ｂ】図３Ｂは、双極ＲＦ並びに併用順行性及び逆行性アプローチを用いたＣＴＯ再疎通に含まれる工程を示す。
【図４】図４は塞栓保護機構を備えた縦材の実施形態の例を示す。
【図５Ａ】狭小血管又は閉塞を通して縦材の前進又は位置決めを可能にするカテーテルの長さの少なくとも一部に沿って構造的に構成された縦材を示す。
【図５Ｂ】狭小血管又は閉塞を通して縦材の前進又は位置決めを可能にするカテーテルの長さの少なくとも一部に沿って構造的に構成された縦材を示す。
【図５Ｃ】狭小血管又は閉塞を通して縦材の前進又は位置決めを可能にするカテーテルの長さの少なくとも一部に沿って構造的に構成された縦材を示す。
【発明を実施するための形態】
【００２０】
詳細な説明は、多くの特定のものを含むが、これらは、本発明の範囲を限定するものとして解釈されるべきではなく、本発明の異なる実施例および態様を示しているに過ぎない。当然のことながら、本発明の範囲は、上記の詳細に説明されない別の実施形態を含む。当業者にとって明らかな種々の別の修正、変更、および変化は、本明細書に記載された本発明の精神および範囲から逸脱することなく、本明細書に記載の本発明の方法および装置の配置、動作、および詳細においてなし得る。
【００２１】
本実施形態は、閉塞内腔、詳しくは慢性完全閉塞を再疎通する順行性および逆行性部材を通して伝えられるＲＦエネルギの使用を組合せている。本明細書に記載された方法およびシステムは、閉塞を横切って双極電極配置を構築する順行性および逆行性アプローチを利用することにより、閉塞を貫通するのが困難なものを再疎通する。このアプローチは、ＲＦ電極の両方が閉塞の同じ側にある、一般的な双極ＲＦ治療法で生じかねないような、血管壁の穴開き又は損傷可能性を最小にする。電極は閉塞の両側に分布しているので、ＲＦ治療により剥離された組織（すなわち閉塞）は、電極間に多く含まれている。これはまた、ユーザが閉塞への治療を局所的とすることを可能にしている。
【００２２】
同一発明者による、同時係属中の特許文献６に開示されているように、それは全体が本書に組み込まれるものであり、管理された順行性および逆行性追跡（ＣＡＲＴ）法において、前記順行性アプローチは、体内のチャネルを利用している。このチャネルは、心外膜チャネル、心房間チャネル、内部中隔チャネル（中隔側枝とも称される）、又はバイパスグラフトとすることができる。ＣＡＲＴ法の基本コンセプトは、閉塞を通してチャネルを形成することである。それは、好ましくは局所的な切開を用いて、閉塞に順行性および逆行性にアプローチすることによるものである。
【００２３】
併用順行性および逆行性アプローチは、病変を貫通するのが困難なものを貫通することにおいて効果的であるものの、エネルギ、例えばＲＦエネルギを用いて、管理された方式で組織を焼灼又は変化させることは、病変を貫通するのが困難なものを貫通することに役立つことが報告されている。この管理されたエネルギの展開は、電極の双極配置を用いて実現されている。ここで、一方の電極は順行性要素に位置され、かつ、双極配置を構成する他方の電極は逆行性要素に位置されている。これらの電極はまた、リターン電極またはアクティブ電極と称される。それらはまたそれぞれ、アノードおよびカソードと称される。電極はまた、アレイ状（複合電極）に配列されている。ここで、電極配置は、ＦＲ場の浸透深さに対して、より良い制御をもたらす。そして、それによって組織温度を制御する能力を提供している。
【００２４】
図１は、ＲＦエネルギを用いた閉塞血管再疎通システムを示す。前記システムは、閉塞にＲＦエネルギを運ぶ縦材１００ａおよび１００ｂを備える。図１に示されるように、縦材１００ａは順行性部材としての役割がある。また縦材１００ｂは逆行性部材としての役割がある。ＲＦ発生器１０（コントローラとも称される）は、縦材１００ａおよび１００ｂにもたらされるＲＦエネルギの供給源としての役割がある。縦材１００ａおよび１００ｂは、ガイドワイヤ、カテーテル、マイクロカテーテル、または拡張カテーテルとすることができる。好適な実施形態において、縦材１００ａおよび１００ｂは、ガイドワイヤである。したがって、以下の説明では、用語「ガイドワイヤ」は、縦材１００ａおよび１００ｂを指して用いられる。本明細書で用いられる用語「ガイドワイヤ」は、任意の別のタイプの縦材を含むことが意図されていることが理解される。
【００２５】
ＲＦ発生器１０からガイドワイヤ１００ａおよび１００ｂへＲＦエネルギを与えるため、ピグテール２０は、その近位端がＲＦ発生器１０に接続しているとともに、その遠位端がコネクタ３０内で終端している。コネクタ３０は、標準コネクタであり、そのコネクタはＲＦ発生器１０の入力および出力信号をガイドワイヤ１００ａおよび１００ｂに結合している。
【００２６】
ガイドワイヤ１００ａおよび１００ｂは、十分なねじれ剛性および縦方向柔軟性を有するように構成されて、他方の縦材に向けてまたはそれらの任意の組合せで、閉塞を通して進むとともに、電極を血管壁から離れる方向に位置決めする。
【００２７】
図２に示されるように、順行性および逆行性ガイドワイヤ１００ａおよび１００ｂはそれぞれ、遠位端に導電性電極１０５ａおよび１０５ｂを有している。一実施形態において、電極１０５ａおよび１０５ｂは、それぞれのガイドワイヤ１００ａおよび１００ｂの片側に位置している。したがって、手術医師に自由度を与えることにより、まだＲＦエネルギを血管壁から離して向けているうちに、ガイドワイヤの電極のない側が血管壁（必要であれば）に接触できるようにする。また、これは、ＲＦエネルギを血管壁から離して向ける構成を可能にし、それによってＲＦの血管壁への損傷可能性を最小にする。一実施形態において、一以上のガイドワイヤは、アレイ状に配列された、複数の電極を備えている。
【００２８】
導電性ワイヤ（図示省略）は、電極１０５ａおよび１０５ｂをコネクタ３０に接続して、ＲＦエネルギをＲＦ発生器１０から電極１０５ａおよび１０５へ運ぶ。ガイドワイヤの外側はそれぞれ、非導電性層１１５ａおよび１１５ｂで被覆されており、それは導電性ワイヤをガイドワイヤと非導電性層との間に挟んでいる。一実施形態において、非導電性層１１５ａおよび１１５ｂは、シースまたはコーティングを備えている。
【００２９】
一実施形態において、そして、さらに図２に示されるように、ガイドワイヤ１００ａおよび１００ｂがそれぞれ、順行性および逆行性ガイドワイヤの遠位端に、温度測定要素１１０ａおよび１１０ｂを備えている。一実施形態において、温度測定要素１１０ａおよび１１０ｂは、コネクタ３０に接続された、熱伝対またはサーミスタを備えている。別の実施形態において、圧力測定要素は、ガイドワイヤの遠位端に位置されて、ＲＦエネルギ放射化時の圧力変化を検出している。
【００３０】
ＲＦ発生器１０は、ユーザが、最大温度、処置時間周期、ＲＦパワーレベル、または、これらの制御パラメータの組合せを設定できるように構成されている。処置時間期間は、ＲＦエネルギが電極間を流れる時間の周期を示す。最大温度設定は、電極と接触している組織に対する閾値温度としての役割がある。またＲＦ発生器１０は、一つ以上の温度測定要素１１０ａおよび１１０ｂが、閾値または閾値近くの組織温度を示すと、パワーを減少または遮断するように設定することができる。
【００３１】
一実施形態において、発生器１０は、二つの電極１０５ａおよび１０５ｂ間の組織のインピーダンスを測定することができる。閉塞のタイプ（すなわち石灰化物質の性質）に基づき、ユーザは、組織に与えられる温度、治療時間、およびＲＦエネルギ量の適切な組合せを選択することができ、安全かつ効果的な治療を実現する。あるいは、治療は、ユーザが再疎通治療中にパラメータを手動管理し、ユーザは再疎通が実現されるまで閉塞を治療し、進めることができる。
【００３２】
再疎通処理工程の手順が、図３Ａおよび図３Ｂに図示されている。図３ＡのダイアグラムＡで示されるように、順行性ガイドワイヤ１００ａおよび逆行性ガイドワイヤ１００ｂはそれぞれ、閉塞３１０の近位端３１０ａおよび遠位端３１０ｂへ進められる。これは、一般的な血管形成術を用いることにより実現することができる。上記の同時継続中の特許文献６に開示されているように、逆行性ガイドワイヤは、中隔などの側枝を用いて、閉塞３１０ｂの遠位端へ進めることができる。
【００３３】
ユーザは、ガイドワイヤ１００ａおよび１００ｂが、閉塞３１０と接触するとともに、血管壁３００に触れていないことを確認した時点で、ＲＦ治療が始められる。
【００３４】
あるいは、ガイドワイヤは、電極間の距離を最小化できるように閉塞にできるだけ深く進められる。その結果、焼灼部位の長さを最小化する。ガイドワイヤ１００ａおよび１００ｂが適切な位置にあることの確認は、インピーダンス測定により、および／または介入手順中に使用された蛍光透視法または血管内超音波法などの任意の一般的なイメージング技術を用いることにより、行うことができる。その血管内超音波法において、振動子がガイドワイヤの遠位端に装着されている。組織のインピーダンス測定を用いると、石灰化閉塞３１０は通常、血管壁３００よりもかなり高いインピーダンスを示す。インピーダンス測定が低いインピーダンの値を示せば、一方又は両方のガイドワイヤが血管壁３００に接触している可能性があり、そしてガイドワイヤの適切な再位置決が必要とされることがある。
【００３５】
再疎通ＲＦ治療を始めると、閉塞３１０は、図３ＡのダイアグラムＢに示されるように、閉塞３１０の端３１０ａおよび３１０ｂから閉塞の内部へと小さくされる。ユーザは次に、ゆっくりかつ慎重に、ガイドワイヤ１００ａおよび１００ｂの一方又は両方を、図３ＡのダイアグラムＣに示されるようなチャネルまたは通路が閉塞３１０内に形成されるまで進める。図３Ａに示されるように、順行性ガイドワイヤ１００ａは静止を保つことができ、また逆行性ガイドワイヤ１００ｂは閉塞３１０を通して進めることができる。チャネルが形成された時点で、逆行性ガイドワイヤ１００ｂは引き抜くことができ且つ順行性ガイドワイヤ１００ａは図３ＡのダイアグラムＤに示されるように、閉塞３１０を通して進めることができる。また、バルーン血管形成術などの一般的な介入手順は行うことができる。あるいは、逆行性ガイドワイヤ１００ｂはＲＦ治療中は静止を保つことができ、また順行性ガイドワイヤ１００ａは閉塞３１０を通して進めることができる。これは、図３ＢのダイアグラムＡ〜Ｄに図示されている。
【００３６】
随意に、カテーテルは、ＲＦ焼灼がもたらした破片を、除去または回収する手段を備える。例えば、破片を捕獲し回収する機構が提供できる。あるいは焼灼部位近くの破片を積極的に除去する吸引装置が提供できる。このような塞栓保護機構の例が、上記の特許文献６に開示されている。図４は、塞栓保護機構を備えている縦材４００の実施形態の例を示す。塞栓保護機構４１０は、フィルタ、メッシュ、ネット、または同様の要素を備え、焼灼破片を捕獲および回収している。別の実施例として、塞栓保護機構は、バルーンを備え、血管を閉塞するとともに破片が循環するのを防ぎ、また縦材を介してその後の破片吸引をしている。別の実施例としては、シースが提供された場合、このシースはまた、破片捕獲および回収機構または吸引装置を含むように、構成することができる。一実施形態において、縦材は、後退することができる。また残存シースは、捕獲および回収機構または吸引装置として使用することができて、焼灼破片を除去する。別の実施形態において、縦材は、拡張カテーテルの管腔内に収容された焼灼ワイヤを備えている。焼灼時、焼灼ワイヤは後退することができ且つ拡張カテーテルは破片の除去に用いることができる。あるいは、前記システムは、別個のカテーテルを備えて、焼灼部位から破片の、吸引、あるいはその反対で捕獲および除去を提供する。
【００３７】
随意に、前記装置は心電図（ＥＫＧ）装置と接続して、エネルギ放出タイミングを補助することができる。例えば、冠状動脈を通して流れる血液速度は通常、心臓周期内で変動する。収縮期に心臓が収縮していると、動脈を通しての流れは通常、心臓拡張期よりも少ない。一実施形態において、エネルギ放出は心臓拡張期に、例えば心電図Ｒ波を検出するアルゴリズムを用いて、タイミングが合わされる。また流れが最大のときにエネルギ放出が起きるようにタイミングが合わされる。それによって、血流によってもたらされる冷却効果を最大とし、そして、その結果、血管への熱の暴露を最小とする。また、冠動脈の大きさは、心周期中に変えることができ、かつ、エネルギ放出は同様に、この事実を利用するように、タイミングを合わすことができる。
【００３８】
随意に、前記装置は、電極間の距離を検出または推定し、また電極間の距離が減少するにつれて、運ばれるＲＦエネルギの量が減少する、機構を備えている。それによって、血管壁へのＲＦ損傷の可能性を最小限にしている。
【００３９】
別の実施形態において、前記装置は、焼灼カテーテルであり、遠位端、近位端、およびそれらの間にガイドワイヤ管腔を備えているガイドワイヤシャフトを有する縦材を備えている。縦材は、拡張カテーテルであるとともに、カテーテルの長さの少なくとも一部に沿って構造的に構成されて、狭い直径の血管壁または閉塞を通して、縦材を進めることまたは位置決めすることを可能にする。例えば、縦材を回転またはねじることにより、前進が実現される。図５Ａ〜図５Ｃは、本発明のそのような実施形態を示す。例えば、図５Ａに示されるように、縦材５００は、らせん状の外部５０１を備え、それは、部材がねじられ又は回転されると、血管を通して進むとともに血管を拡張する。らせん状の外部５０１は、縦材５００の外側本体に彫られた複数の溝５０２を備えている。縦材５００の遠位端は随意に、放射線不透過性マーカ５１０を備えている。電極５２０は、カテーテルの遠位端または遠位端近くに位置されている。別の実施例が、図５Ｂに示されており、その横断面が図５Ｃに示されている。縦材５５０は、ライナ５６５に巻かれた複数のワイヤ５５１および５５２を備えることができる。一実施形態において、ワイヤ５５１および５５２は、少なくとも二つの異なる直径を含む。縦材５５０は随意にマーカ５７０で終端する。電極５８０は、縦材５５０の遠位端又はその近くに位置する。焼灼カテーテルは、追加的及び随意に、電極と外部エネルギ源との間にエネルギを伝える導線を備えている。代替的に、複数のワイヤは電極又は導線としての機能を果たすように構成することができる。追加的及び随意に、前記カテーテルは、随意に伸縮自在の絶縁シース５６０を備えている。
【００４０】
前記ガイドワイヤおよび電極は、この分野で一般的に知られている、任意の一以上の適した材料から作ることができる。その適した材料の例としては、ステンレス鋼、ニチノール、エルジロイ、白金、イリジウム、タンタル、チタン、コバルト、クロム、又はそれらの任意の組合せを含む。一実施形態において、一以上のガイドワイヤは、電気エネルギを各電極に運ぶ電気伝導コアを有するポリーマーで作ることができる。
【００４１】
上記実施形態は、焼灼のためにＲＦエネルギの使用について言及しているが、別のエネルギの形態、例えば超音波エネルギが同様に用いることができることは注目すべきである。一実施形態において、本発明の再疎通システムの一以上の縦材が、ＲＦ電極に代えて又は加えて、一以上の超音波変換器を備えている。前記超音波変換器は、閉塞を焼灼する超音波エネルギを提供する。一実施形態において、順行性および逆行性縦材はいずれも、超音波変換器を備え、順行性および逆行性方向から病変を小さくしている。別のエネルギの形態は、マイクロ波およびレーザを含むことができる。
【００４２】
上述された、併用順行性および逆行性エネルギ伝達技術はまた、一般的な手法の使用と組合せて、ＣＴＯｓ貫通に対する付加技術として使用することができる。前記技術は、閉塞を十分に柔らかく又は弱くするのに用いることができる。
【００４３】
上記は、本発明の好適な実施形態の詳細な説明であるものの、種々の代替物、修正物、均等物を用いることができる。したがって、上記説明は、添付クレームにより規定される本発明の範囲を限定するものとして、扱われるべきではない。
【００４４】
さらに、本発明は、以下の実施形態を含む。
〔１〕第一縦材を閉塞の近位端へ順行性方式で進める工程と、
第二縦材を前記閉塞の遠位端へ逆行性方式で進める工程と、
前記第一および第二縦材との間にエネルギを適用する工程と、
前記閉塞を再疎通する工程と、
を備えている閉塞血管再疎通方法。
〔２〕前記エネルギは、高周波エネルギである実施形態１に記載の閉塞血管再疎通方法。
〔３〕前記エネルギは、レーザエネルギである実施形態１に記載の閉塞血管再疎通方法。
〔４〕前記エネルギは、マイクロ波エネルギである実施形態１に記載の閉塞血管再疎通方法。
〔５〕前記エネルギは、超音波エネルギである実施形態１に記載の閉塞血管再疎通方法。
〔６〕さらに、血流が最大となるときに前記適用を起こすタイミングをはかる工程を備えており、それによって血流の冷却効果を最大にするとともに前記血管への熱の暴露を最小にする実施形態１に記載の閉塞血管再疎通方法。
〔７〕さらに、心電図（ＥＫＧ）信号を用いて前記適用のタイミングをはかる工程を備えている実施形態１に記載の閉塞血管再疎通方法。
〔８〕前記タイミングをはかる工程は、前記心電図（ＥＫＧ）信号のＲ波を検出する工程を備えている実施形態７に記載の閉塞血管再疎通方法。
〔９〕さらに、破片を捕獲および回収する工程を備えている実施形態１に記載の閉塞血管再疎通方法。
〔１０〕高周波発生器を備えており、
近位端および遠位端を有する順行性縦材を備えており、前記順行性縦材の遠位端が第一導電性電極を備え且つ前記順行性縦材の近位端が前記高周波発生器と結合されるように構成されており、かつ、
近位端および遠位端を有する逆行性縦材を備えており、前記逆行性縦材の遠位端が第二の導電性電極を備え且つ前記逆行性縦材の近位端が前記高周波発生器と結合されるように構成されている再疎通システム。
〔１１〕前記縦材は、ガイドワイヤまたはカテーテルまたはマイクロカテーテルまたは拡張カテーテルである実施形態１０に記載の再疎通システム。
〔１２〕前記縦材は、内側ガイドワイヤ内腔を備えている実施形態１０に記載の再疎通システム。
〔１３〕前記縦材は、十分なねじれ剛性および縦方向柔軟性を有して、閉塞を通して進むと共に、前記電極を前記血管壁から離隔および互いに対向するように配置する実施形態１０に記載の再疎通システム。
〔１４〕前記電極は、前記縦材の片側に取り付けられている実施形態１０に記載の再疎通システム。
〔１５〕前記電極は、アレイ状に配列されている実施形態１０に記載の再疎通システム。
〔１６〕前記縦材は、放射線不透過性マーカを備えている実施形態１０に記載の再疎通システム。
〔１７〕少なくとも一つの前記縦材は、破片を捕獲および回収する塞栓保護機構を備えている実施形態１０に記載の再疎通システム。
〔１８〕前記塞栓保護機構は、フィルタである実施形態１７に記載の再疎通システム。
〔１９〕前記塞栓保護機構は、バルーンを備えている実施形態１７に記載の再疎通システム。
〔２０〕前記塞栓保護機構は、前記縦材の一方を通して吸引ができる管腔を備えている実施形態１７に記載の再疎通システム。
〔２１〕前記縦材は、カテーテルまたはガイドシース内に配置されるように構成されている実施形態１０に記載の再疎通システム。
〔２２〕さらに、高周波エネルギを制御および発生する回路を備えている実施形態１０に記載の再疎通システム。
〔２３〕さらに、ＥＫＧに接続して、エネルギ放出のタイミングをはかるように構成された接続ポートを備えている実施形態１０に記載の再疎通システム。
〔２４〕遠位端、近位端、及びガイドワイヤ管腔を構成しているガイドワイヤシャフトを有している縦材を備えており、前記縦材をねじることにより、狭い内径の血管を通して進めることができるように、前記縦材が少なくともその長さ部分に沿って構成されており、
前記縦材の遠位端に電極を備え、
エネルギを前記電極から外部エネルギ源に伝える一つ以上の導線を備え、かつ
絶縁シースを備えている焼灼カテーテル。
〔２５〕前記縦材は、らせん状の外部を有するように構成されている実施形態２４に記載の焼灼カテーテル。
〔２６〕前記縦材は、ライナに巻かれた複数のワイヤを備えている実施形態２４に記載の焼灼カテーテル。
〔２７〕前記複数のワイヤは、少なくとも二つの異なる直径を有している実施形態２６に記載の焼灼カテーテル。
〔２８〕前記複数のワイヤは、電極または導線であるように構成されている実施形態２６に記載の焼灼カテーテル。
【符号の説明】
【００４５】
１０  高周波発生器
２０  ピグテール
３０  コネクタ
１００ａ，１００ｂ  縦材
１０５ａ，１０５ｂ  電極
【図１】
2014208263.tif 000003
【図２】
2014208263.tif 000004
【図３Ａ】
2014208263.tif 000005
【図３Ｂ】
2014208263.tif 000006
【図４】
2014208263.tif 000007
【図５Ａ】
2014208263.tif 000008
【図５Ｂ】
2014208263.tif 000009
【図５Ｃ】
2014208263.tif 000010
【外国語明細書】
2014208263000001.pdf